(57)【要約】【課題】  解決しようとする課題は、内線付加サービス機能を有しない移動交換機に接続される端末を企業内内線端末として利用できず、ＰＢＸで可能なピックアップ、あるいはコールハンティングができないことである。【解決手段】  移動交換機は、端末毎の内線付加サービス有無の登録情報を保持し、内線付加サービスに登録された端末である場合、登録された端末への着信を管理サーバに通知し、管理サーバは、端末毎の内線付加サービスグループの情報を内線付加サービス情報として保持し、内線付加サービスに登録された端末への着信通知を受信したとき、登録された内線付加サービスで規定される端末に着信を通知する。【選択図】図１
2011009884.tif 000002
【特許請求の範囲】
【請求項１】
移動交換機と管理サーバで構成される移動交換システムであって、
前記移動交換機は、端末毎の内線付加サービス有無の登録情報を保持し、前記端末から受信した着信先端末が内線付加サービスに登録された端末である場合、前記登録された端末への着信を前記管理サーバに通知する機能を有し、
前記管理サーバは、前記端末毎に少なくとも内線付加サービスの有無、内線付加サービス種別と内線付加サービスグループの情報を内線付加サービス情報として保持し、前記移動交換機から内線付加サービスに登録された端末への着信通知を受信したとき、登録された内線付加サービスで規定される端末に着信を通知する機能を有することを特徴とする移動交換システム。
【請求項２】
請求項１記載の前記管理サーバは、
着信を通知した端末から転送指示を受信したとき、前記移動交換機に対して転送を指示した端末に対して前記着信を転送するよう指示する機能を更に有することを特徴とする移動交換システム。
【請求項３】
移動交換機と管理サーバで構成される移動交換システムにおける管理サーバであって、
端末毎に少なくとも内線付加サービスの有無、内線付加サービス種別と内線付加サービスグループの情報を内線付加サービス情報として保持し、前記移動交換機から内線付加サービスに登録された端末への着信通知を受信したとき、登録された内線付加サービスで規定される端末に着信を通知する機能を有することを特徴とする管理サーバ。
【請求項４】
請求項３記載の前記管理サーバは、着信を通知した端末から転送指示を受信し、前記移動交換機に対して転送を指示した端末に対して前記着信を転送するよう指示する機能を更に有することを特徴とする請求項３記載の管理サーバ。
【発明の詳細な説明】
【技術分野】
【０００１】
本発明は、移動交換網における内線付加サービスに係り、特に、内線付加サービス機能を有しない移動交換機で、構内交換機で幅広くサービスされているピックアップあるいはコールハンティング等の内線付加サービスを実現する移動交換システム管理サーバに関するものである。
【背景技術】
【０００２】
企業内等において、幅広く普及している構内交換機（以下ＰＢＸ：Ｐｒｉｖａｔｅ  Ｂｒａｎｃｈ  ｅＸｃｈａｎｇｅ）は、配下の端末にＣＵＧ（Ｃｌｏｓｅｄ  Ｕｓｅｒｓ  Ｇｒｏｕｐ）ピックアップサービスグループ、コールハンティンググループ等の内線付加サービスグループ関係を設定し保持することにより、内線付加サービスを提供している。また、ＳＯＨＯ（Ｓｍａｌｌ  Ｏｆｆｉｃｅ  Ｈｏｍｅ  Ｏｆｆｉｃｅ）の考え方と相まって、自宅においても企業内内線端末を利用できるようにし、自宅をサテライトオフィスとして利用したいといった社会的ニーズがある。
【０００３】
一方、近年、移動通信システムが発展し、例えば、第３世代動交換システムが網（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）が展開され始めている。従来のＰＢＸの内線付加サービスとの連携性を踏まえ、移動交換システムの移動端末を企業内内線端末として利用したいというニーズがある。しかしながら、移動交換機はＰＢＸではないため、端末番号をグルーピングした上で、端末間連携を実現させるという考え方がなく、内線付加サービスを提供することができない。
【０００４】
ＩＰセントレックスシステムの移動端末に公衆網との通信が可能なデュアル機能を備え、該移動端末がＩＰセントレックスの圏内に有る場合は、内線接続とし、公衆網内では外線接続を行い、移動端末が公衆網からＩＰセントレックスの圏内に移動時は圏内であることを検出して内線接続に切り替える技術が知られている。（特許文献１）
【先行技術文献】
【特許文献】
【０００５】
【特許文献１】特開２００７−２２１５５４号公報
【発明の概要】
【発明が解決しようとする課題】
【０００６】
しかしながら、公衆網及び企業網の両者で利用可能なデュアル機能の移動端末が公衆網に接続されている時に端末をグルーピングし、ピックアップ、及びコールハンティングの機能持たせても、他の移動端末への着信を知ることが出来ないためサービスとして成り立たないことになる。
【０００７】
作今、自宅で仕事をする在宅勤務者、自宅をサテライトオフイスとする働き方も整備されてきたが、自宅をサテライトオフイスとする場合に通常のオフイスでの内線付加サービスは上記の通りサテライトオフイスでは移動端末の接続が公衆網となるため、提供が不可となる。
【０００８】
本発明は、内線付加サービス機能を持たない移動交換機に管理サーバを備えた移動交換システムを構成し、システム配下の移動端末にピックアップ、あるいはコールハンティング等の内線付加サービスを実現することを目的とする。
【課題を解決するための手段】
【０００９】
移動交換機と管理サーバとで移動交換機に接続される端末に内線付加サービスを行なう移動交換システムを構成する。
【００１０】
移動交換機は端末毎の内線付加サービスの有無の情報を保持するＤＢを備え、着信先端末が内線付加サービス有に登録された端末である場合に管理サーバに着信の通知を行う。
【００１１】
管理サーバは、端末毎の少なくも内線付加サービスグループ種類とそのグループ名を含む内線付加サービス情報を保持するＤＢを備え、内線付加サービス登録端末への着信通知を受信した場合、前記保持内線付加サービス情報から内線付加サービスに登録された端末に対して着信の通知を行う。
【発明の効果】
【００１２】
本発明により、内線付加サービス機能を有しない移動交換機配下の移動端末が内線付加サービスグループに対する着信を認識することが可能となり、ピックアップ、コールハンティングなどの内線付加サービスを受けることが可能となる。これにより、自宅などのサテライトオフイスでも内線付加サービスを利用することが可能となる。
【図面の簡単な説明】
【００１３】
【図１】本発明の一実施形態の移動交換システムを示す図である。
【図２】本発明の一実施形態の３ＧＰＰ交換機と管理サーバのブロック構成を示す図である。
【図３】本発明の一実施形態の３ＧＰＰ交換機のＤＢを示す図である。
【図４】本発明の一実施形態の管理サーバのＤＢを示す図である。
【図５】本発明の本発明の一実施形態の管理サーバの内線付加サービス処理手順（その１）を示す図である。
【図６】本発明の本発明の一実施形態の管理サーバの内線付加サービス処理手順（その２）を示す図である。
【図７】本発明の本発明の一実施形態の管理サーバの内線付加サービス処理手順（その３）を示す図である。
【発明を実施するための形態】
【実施例】
【００１４】
以下具体例として、３ＧＰＰ移動交換網で内線付加サービスを実現する例を説明する。
【００１５】
図１は本発明の一実施形態の移動交換システムを示す図である。
【００１６】
移動交換網１、インターネット網２、管理サーバ３、複数の３ＧＰＰ端末８、３ＧＰＰ端末と対の複数のパソコン７で構成される通信システムである。複数３ＧＰＰ端末８は、例えば、内線付加サービスグループＡ  ５、内線付加サービスグループＢ  ６等の内線付加サービスグループとしてグルーピングされている。
【００１７】
移動交換網１は複数の３ＧＰＰ移動交換機、無線設備で構成される。ここでは３ＧＰＰ交換機４で代表する。また、３ＧＰＰ端末も実際は移動交換網１の構成要素であるが、ここでは、便宜上分けて示している。
【００１８】
このシステム構成での内線付加サービスの概略手順を説明する。
ア．３ＧＰＰ端末Ｎ  ８−３が３ＧＰＰ端末１  ８−１宛に発信する。
イ．３ＧＰＰ交換機４は３ＧＰＰ端末１  ８−１に３ＧＰＰ端末８−３からの着信を送信する。
ウ．３ＧＰＰ交換機４は保持するＤＢを参照して、３ＧＰＰ端末１  ８−１が内線付加サービスに登録されている場合は管理サーバ２に３ＧＰＰ端末１  ８−１への着信を通知する。
【００１９】
３ＧＰＰ交換機４から３ＧＰＰ端末１  ８−１への着信通知を受信した管理サーバ２は転送先３ＧＰＰ端末を以下の方法で選択する。
【００２０】
保持するＤＢの内線付加サービスを参照して着信先３ＧＰＰ端末１  ８−１がコールハンティンググループの場合はコールハンティンググループの接続順位に対応して、次の順位の３ＧＰＰ端末を選択する。また、内線付加サービスがピックアップグループの場合、以下の手順で選択を行う。
エ−１．転送先３ＧＰＰ端末として全ての同一ピックアップグループの全ての３ＧＰＰ端末を選択し、各３ＧＰＰ端末と対のパソコンに３ＧＰＰ端末１  ８−１への着信（代替受信要望）の通知を行う。
エ−２．通知を受けたパソコン（例えば、３ＧＰＰ端末２  ８−２）は管理サーバ３に代替受信を行うことを通知する。
エ．管理サーバ３は選択した着信先３ＧＰＰ端末に３ＧＰＰ端末Ｎ  ８−３からの通話を代替受信先（例えば、３ＧＰＰ端末２  ８−２）に切り替えるよう３ＧＰＰ交換機４に通知する。
オ．３ＧＰＰ交換機４は３ＧＰＰ端末Ｎ  ８−３からの着信を代替受信先の３ＧＰＰ端末（３ＧＰＰ２  ８−２）に転送する。
【００２１】
図２は本発明の一実施形態の３ＧＰＰ交換機と管理サーバのブロック構成を示す図である。３ＧＰＰ交換機と管理サーバのブロック構成を移動交換網１、インタネット網２と併せて示している。
３ＧＰＰ交換機
３ＧＰＰ端末との端末ＩＦ  １１（端末ＩＦは複数存在するが代表して端末ＩＦ１１として説明）、各端末への電話交換制御、管理サーバへのメッセージ等の転送処理を行う電話交換・転送制御部１２、内線付加サービスの登録情報、端末状態管理情報、メッセージ情報を保持するＤＢ１３、管理サーバとのインタフェースである管理サーバＩＦ  １４で構成する。
【００２２】
３ＧＰＰ端末からの発信を端末ＩＦ１１で受信し、後述する端末状態管理テーブルの情報に基づき内線付加サービスに登録された端末の場合、管理サーバＩＦ１４を介して管理サーバ３に内線付加サービス登録の３ＧＰＰ端末への着信の通知を行う。
【００２３】
また、管理サーバ３から着信先端末への着信の転送先の端末の情報を受信し、電話交換・転送制御部１２からの転送等のメッセージを処理し、端末ＩＦ１１を介して該当の３ＧＰＰ端末への転送処理を行う。
【００２４】
ここで、本発明に係わるブロックとして示した端末ＩＦ１１、電話交換・転送制御部１２、ＤＢ１３は既存の３ＧＰＰ交換機が備えているブロックであり、また、管理サーバＩＦ１４は例えば、ＴＡＳＰＩ（Ｔｅｌｅｐｈｏｎｙ  Ｓｅｒｖｉｃｅ  Ａｐｐｌｉｃａｔｉｏｎ  Ｐｒｏｇｒａｍｉｎｇ  Ｉｎｔｅｆａｃｅ）を搭載したボードをインタフェースとして実装すれば良い。
【００２５】
ＴＳＡＰＩはコンピュータテレフォニーサービスの標準インタフェースであり、呼の接続制御（発信、切断、電話番号送受信、応答、保留、転送、再接続、着信分配、ルーティングなど）、呼の状態通知（発信、切断、電話番号送受信、応答、保留、転送、再接続、着信分配、ルーティングなど）等を行うインタフェースである。３ＧＰＰ交換機４は３ＧＰＰ端末のステータス状態（待ち受け、発信中、着信中、通話先端末番号等）を管理サーバ３に送信する。また、管理サーバ３から転送先の端末番号などを受信し、ＤＢの情報の更新を行うと共に着信先を転送先に転送する接続制御を行う。ＴＳＡＰＩについての詳細な説明は省略する。
管理サーバ
ＴＳＡＰＩの仕様の３ＧＰＰ交換機とのインタフェースである３ＧＰＰ交換機ＩＦ２１、端末の交換制御管理として、ピックアップグループ、あるいはコールハンティングのグループの制御、及びメッセージの制御を行う端末交換制御管理機能部２２、内線付加サービス情報（内線付加サービス登録有無、ＰＣアドレス、端末ステータス等）、メッセージ情報を保持するＤＢ２３、パソコンとのインタフェースであるパソコンＩＦ２４、パソコンに送信するメッセージを処理するメッセージ転送処理部２５で構成する。
【００２６】
３ＧＰＰ交換機ＩＦ２１は３ＧＰＰ交換機４からの着信先の端末番号の通知を受信し、端末交換制御管理機能部２２に送信する。
【００２７】
端末交換制御管理機能部２２は３ＧＰＰ交換機ＩＦ２１から通知された着信先端末番号を受け、ＤＢ２３の情報を取得して以下を行う。
ア．通知された着信先端末が保持する内線付加サービスグループ（ピックアップ、コールハンティング）に登録されているか確認する。
イ．内線付加サービスの内容に対応して該当の内線付加サービスを行う端末及び対のパソコンへのメッセージ（下記メッセージ情報参照）を選択する。
ウ．選択した端末と対のパソコンにパソコンＩＦ２４を介して代替受信のメッセージを送信する。
エ．パソコンよりパソコンＩＦ２４を介して返信を受信し、転送先端末として選択した端末番号を３ＧＰＰ交換機ＩＦ２１に転送先端末番号を通知する。
【００２８】
３ＧＰＰ交換機ＩＦ２１は受信した転送先端末番号を３ＧＰＰ交換機４に送信する。
【００２９】
パソコンＩＦ２４はパソコン７とのインタフェースであり、端末交換制御管理機能部２２からの指示により、パソコン７へ着信通知、代替受信などのメッセージを送信する。一方、パソコン７からの代替受信の返信を受信し、端末交換制御管理機能部２２に通知する。なお、ここでは、３ＧＰＰ端末と対にパソコンを示しているが、管理サーバとメッセージの通信が可能な端末であれば良い。
【００３０】
なお、ＤＢ２３の内容については図５で説明する。
【００３１】
メッセージ処理部２５は端末交換制御管理機能部２２からの指示によりＤＢのメッセージ情報の選択・生成を行なう。
【００３２】
図３は本発明の一実施形態の３ＧＰＰ交換機のＤＢを示す図である。１）端末状態管理情報、２）内線付加サービス用メッセージを示している。
端末状態管理情報
端末状態管理情報として、内線付加サービス、ステータス、課金処理関連に係るデータを保持管理する。内線付加サービスの項が本発明の実現するために既存の３ＧＰＰ交換機に追加するデータとなる。
ア．内線付加サービス：対象の３ＧＰＰ端末の内線付加サービスの登録の有無を管理する。３ＧＰＰ交換機配下の個々の３ＧＰＰ端末に内線付加サービスが登録されている場合に内線付加サービス有とする。サービス有の場合は連絡先として管理サーバの連絡先サーバのアドレスを保持する。
イ．ステータス：３ＧＰＰ端末の状態として待ち受け、通信圏外、呼び出し中、転送先登録、通話中の項目があり、各３ＧＰＰ端末を保持管理する。転送先登録は転送した端末番号を保持する。通話中の場合は相手先番号及び、終了か否かを管理する。既存の３ＧＰＰ交換機でも保持管理するデータであり、詳細な説明は省略する。
ウ．課金処理関連：通話が行われた場合の課金処理のため、通話時間、通信相手先との距離などの課金に係る項目で構成する。説明は省略する。
【００３３】
端末番号「０９０−ｘｘｘｘ−Ｂ」に着信があった場合について説明すると、この端末は内線付加サービスに登録されており、現在通話中で、相手先の端末番号は「０８０−ＡＢＣＤ−１２３４」である。また、この端末に通話があった場合はアドレス「ＡＢ−ＣＤ−１」の管理サーバに着信があることを通知する。
メッセージ情報
メッセージ情報として例えば、「「ＸＹＸ−ＡＢＣＤ−ＥＦＧＨ」の端末が着信中である。」、「「ＸＹＸ−ＡＡＢＢ−ＥＦＧＨ」からの通話を転送します。」等のメッセージである。３ＧＰＰ交換機の動作手順に従い、メッセージが選択され、相手先に送信されることになる。内線付加サービスのためのメッセージは必要により追加される。
【００３４】
図２、３で説明したように、既存の３ＧＰＰ交換機に内線付加サービスのために付加する機能は以下となる。
ア.端末状態管理情報として内線付加サービスの有無の情報を追加して保持する。
イ.管理サーバ３へのメッセージを保持し、ＴＡＳＰＩ仕様の管理サーバIＦ１４を備え、管理サーバ３と保持する３ＧＰＰ端末のステータス等のＤＢのデータを交換し、呼の接続制御を実行する。
【００３５】
図４は本発明の一実施形態の管理サーバのＤＢを示す図である。１）に端末状態管理テーブルとして、３ＧＰＰ端末毎にピックアップグループ、コールハンティンググループ、パソコンＩＰアドレス、ステータス情報の項目を示し、２）にメセージの例としてメッセージ情報を示す。
端末番号
管理サーバ配下の全ての３ＧＰＰの端末の端末番号である。
パソコンＩＰアドレス
各々の３ＧＰＰ端末と対のパソコンのアドレスであり、管理サーバから端末番号への通知は１対１対応のパソコンに通知される。例えば、「０９０−ｘｘｘｘ−Ａ」のパソコンのＩＰアドレスは「ＸＹ−ＡＢ−１」となる。
ピックアップグループ
各々の３ＧＰＰ端末が属するプックアップグループ名を保持する。例えば、「０９０−ｘｘｘｘ−Ａ」から「０９０−ｘｘｘｘ−Ｅ」までの５個の端末が同じグループ「Ａ１」に属している。
コールハンティンググループ
各々の３ＧＰＰ端末が属するコールハンティンググループ名を保持する。例えば、「０９０−ｘｘｘｘ−Ａ」から「０９０−ｘｘｘｘ−Ｅ」までの５個の端末が同じグループ「Ｂ１」に属し、そのグループ内接続順位は端末番号、例えば、「０９０−ｘｘｘｘ−Ａ」が順位１位で以下順番に「０９０−ｘｘｘｘ−Ｂ」、「０９０−ｘｘｘｘ−Ｃ」、「０９０−ｘｘｘｘ−Ｄ」、「０９０−ｘｘｘｘ−Ｅ」となる。
ステータス
各々の３ＧＰＰ端末の各時刻の状態を待ち受け、通信圏外、呼び出し中、通話中、転送先登録の項目があり、各３ＧＰＰ端末の常態を保持管理する。通話中の場合は相手先番号及び、終了か否かを管理し、転送先登録は転送した端末番号である。例えば、「０９０−ｘｘｘｘ−Ａ」は待ち受け状態にあり、「０９０−ｘｘｘｘ−Ｂ」は通話中で、通話相手先は「０８０−ＡＢＣＤ−１２３４」である。また、「０９０−ｘｘｘｘ−Ｄ」は呼び出し中、且つ内線付加サービスとして「０９０−ｘｘｘｘ−Ｅ」に転送中である。これらの端末の状態の情報はＴＳＡＰＩにより３ＧＰＰ交換機より受信し、また、管理サーバからも転送先３ＧＰＰ端末番号を送信する。
【００３６】
また、メッセージ情報として、例えば、「端末番号「ＡＢＣ−ＸＹＹＸ−ＥＦＧＨ」への着信を受けてください。」等のメッセージを保持する。
【００３７】
図５は本発明の一実施形態の管理サーバの内線付加サービス処理手順（その１）を示す図である。３ＧＰＰ交換機との情報内容の例と併せて管理サーバの処理手順を示している。
Ｓ１：管理サーバは３ＧＰＰ交換機より端末Ｘへの下記着信メッセージを受信する。
ア．着信先端末番号（着信を受け端末の番号）：端末Ｘの端末番号
イ．発信者の端末番号：端末番号Ａ
ウ．ステータス：着信中（現在のステータスを表す）
エ．転送サービス設定状態（着信を転送しているか否かを表す）：転送設定無し
オ．転送先端末番号（転送設定有時の転送先端末番号）：無し
Ｓ２：管理サーバは端末Ｘが内線付加サービスに登録されているか確認する。登録されている場合はＳ３に進み、そうでない場合はＳ１１に進み、管理サーバの処理は待ち状態となる。
Ｓ３：管理サーバは端末Ｘのステータスを着信中にする。
Ｓ４：端末Ｘはコールハンティンググループに属しているか確認する。コールハンティンググループに属している場合はＳ５に進み、そうで無い場合はＳ６に進む。
Ｓ５：管理サーバはコールハンティンググループ登録の端末の接続順位とそのステータスを確認し、接続順位が端末Ｘの次の順位の端末でステータスが待ち受けにある端末を選択する。なお、次の順位の端末が圏外等のため待ち受けで無い場合はさらに次の順位の端末を選択し、（ここでは、選択した端末をＣ）とし、ＤＢの端末Ｘの転送先として端末Ｃを設定し、３ＧＰＰ交換機に以下のメッセージを送信する。
ア．端末Ｘが親機登録場合：着信先端末番号：端末Ｘの端末番号
イ．転送サービス設定状態：転送設定有
ウ．転送先端末番号：端末Ｃの端末番号
Ｓ６：端末Ｘはピックアップグループに属しているか確認し、ピックアップグループに属している場合はＳ７に進み、そうで無い場合はＳ１１に進み、管理サーバの処理は待ち状態となる。
Ｓ７：管理サーバは着信先端末Ｘと同一グループメンバの待ち受け状態のメンバに以下のメッセージを送信する。
ア.着信先端番号：端末Ｘの端末番号
イ．発信者の端末番号：端末Ａの端末番号
Ｓ８：管理サーバは送信したピックアップグループの３ＧＰＰ端末より以下のメッセージを受信する。
ア．着信先端末番号：端末Ｘの端末番号
イ．発信者の端末番号：端末Ａの端末番号
ウ．応答端末番号：応答者端末の端末番号
Ｓ９：管理サーバはメッセージを受信する間、端末Ｘのステータスが「待ち受け中」、「通話中」になった場合はピックアップグループに「エラー（応答不要）」通知を返答する。
Ｓ１０：管理サーバは最初に応答のあった端末（ここでは端末Ｄ）を選定し、ＤＢの端末Ｘの転送先として端末Ｄを設定し、保持する共に以下のメッセージを３ＧＰＰ交換機に通知する。
ア．着信先端末番号：端末Ｘの端末番号
イ．転送サービス設定状態：転送設定有り
ウ．転送先端末番号：端末Ｄの端末番号
Ｓ１１：管理サーバは内線付加サービスの管理を終了し、待ち状態となる。
【００３８】
３ＧＰＰ交換機４は管理サーバ３から通知を受け、端末番号Ｘへの着信を上記選択した端末Ｃ（Ｓ５）及び端末Ｄ（Ｓ１０）に転送する。
【００３９】
なお、グループ内の全ての３ＧＰＰ端末が転送しても受信できない場合（待ち受けであってもオフフックされない）既存の電話応答の手順に従う。すなわち、受信のオフフック無く、発呼側で通話を切ることになる。
【００４０】
図６は本発明の一実施形態の管理サーバの内線付加サービス処理手順（その２）を示す図である。端末番号Ａから端末Ｘへの着信に対し、端末Ｘが端末Ａと通話を開始した場合の処理手順を示している。
Ｓ２１：管理サーバは３ＧＰＰ交換機より端末Ｘへの下記着信メッセージを受信する。
ア．着信先端末番号：端末Ｘの端末番号
イ．発信者の端末番号：端末Ａの端末番号
ウ．ステータス：通話中
エ．転送サービス設定状態：転送設定無し
オ．転送先端末番号：無し
Ｓ２２：管理サーバは端末Ｘが内線付加サービスに登録されているか確認する。端末Ｘがコールハンティンググループに属している場合はＳ２３に進み、そうで無い場合はＳ２４に進む。
Ｓ２３：管理サーバは端末Ｘのステータスを着信中から通話中に変更する。
Ｓ２４：管理サーバは３ＧＰＰ交換機に以下のメッセージを送信する。
ア．着信先端末番号：端末Ｘの端末番号
イ．発信者の端末番号：端末Ａの端末番号
ウ．ステータス：通話中
エ．転送サービス設定状態：転送設定無し
オ．転送先端末番号：無し
Ｓ２５：管理サーバは内線付加サービスの管理を終了し、待ち状態となる。
【００４１】
図７は本発明の一実施形態の管理サーバの内線付加サービス処理手順（その３）を示す図である。端末Ｘへの着信を端末Ｃに転送後、端末Ａと端末Ｃの通話が終了したときの処理手順を示している。
Ｓ３１：管理サーバは３ＧＰＰ交換機より端末Ｘへの着信（転送端末Ｃ）へのメッセージを受信する。
ア．着信先端末番号：端末Ｘの端末番号
イ．発信者の端末番号：端末Ａの端末番号
ウ．ステータス：通話終了
エ．転送サービス設定状態：転送設定有
オ．転送先端末番号：端末Ｃ
Ｓ３２：管理サーバは端末Ｘ端末Ｃが内線付加サービスに登録されているか確認する。
Ｓ３３：管理サーバは端末Ｃのステータスを通話終了に変更する。
Ｓ３４：管理サーバは端末ＸをＸ含むＤＢのグループメンバに設定した転送設定を解除すると共に３ＧＰＰ交換機に以下のメッセージを送信する。
ア．着信先端末番号：端末Ｘの端末番号
イ．発信者の端末番号：端末Ａの端末番号
ウ．ステータス：通話終了
エ．転送サービス設定状態：転送設定有
オ．転送先端末番号：端末Ｃ
Ｓ３５：管理サーバは内線付加サービスの管理を終了し、待ち状態となる。
【符号の説明】
【００４２】
１    移動交換網
２    インターネット網
３    管理サーバ
４    ３ＧＰＰ交換機
５    内線付加サービスグループＡ
６    内線付加サービスグループＢ
７−１、７−２、７−３  パソコン
８−１、８−２、８−３  ３ＧＰＰ端末
１１  端末ＩＦ
１２  電話交換・転送制御部
１３  ＤＢ
１４  管理サーバＩＦ
２１  ３ＧＰＰ交換機ＩＦ
２２  端末交換制御管理機能部
２３  ＤＢ
２４  パソコンＩＦ
２５  メッセージ転送処理部
【図１】
2011009884.tif 000003
【図２】
2011009884.tif 000004
【図３】
2011009884.tif 000005
【図４】
2011009884.tif 000006
【図５】
2011009884.tif 000007
【図６】
2011009884.tif 000008
【図７】
2011009884.tif 000009